(57)【要約】【課題】使用者の好みに応じて耳たぶへ適度の挟着力で挟み付けることができ、しかも使用中に外れにくく、しかも個人差に対応した装着度合いを簡単に調整することができるイヤリングを提供することにある。【解決手段】耳たぶを挿入する切欠き部を備えた所定の半径の環状イヤリング本体と、該切欠き部の耳たぶの裏側に位置する端部において進退可能に取り付けられ、かつ前記イヤリング本体よりも小さい半径の弧状挟着部材とを備え、該挟着部材は側面に設けたガイド溝にイヤリング本体に設けたガイドピンをはめ込まれて、前記イヤリング本体に設けたスライド溝に沿って移動可能に保持され、前記挟着部材はその後端にイヤリング本体に内装したコイルバネを連結することにより、耳たぶを挟み付ける方向と前記イヤリング本体のスライド溝の端部に所定圧で係合する方向とに付勢されていることを特徴とするイヤリング。【選択図】図１
2010172417.tif 000002
【特許請求の範囲】
【請求項１】
耳たぶを挿入する切欠き部を備えた所定の半径の環状イヤリング本体と、該切欠き部の耳たぶの裏側に位置する端部において進退可能に取り付けられ、かつ前記イヤリング本体よりも小さい半径の弧状挟着部材とを備え、
該挟着部材は側面に設けたガイド溝にイヤリング本体に設けたガイドピンをはめ込まれて、前記イヤリング本体に設けたスライド溝に沿って移動可能に保持され、
前記挟着部材はその後端にイヤリング本体に内装したコイルバネを連結することにより、耳たぶを挟み付ける方向と前記イヤリング本体のスライド溝の端部に所定圧で係合する方向とに付勢されており、
前記挟着部材は、コイルバネの弾性力に抗して先端を内側方向に押圧すれば、スライド溝との係合が解かれて耳たぶを挟み付ける方向に移動が可能であり、力を解除すればその外周面が前記イヤリング本体のスライド溝の端部に係合して適宜位置に保持することが可能であり、所定の押圧力で耳たぶを挟み付けることができるようにしたことを特徴とするイヤリング。
【請求項２】
前記挟着部材の外面とイヤリング本体のスライド溝の内面とが、所定幅の平滑面で構成されていることをも特徴とする請求項１記載のイヤリング。
【請求項３】
前記挟着部材をイヤリング本体のスライド溝の端部に係合する手段が、挟着部材の外周に形成した波形凹凸面からなることを特徴とする請求項１記載のイヤリング。
【請求項４】
前記イヤリング本体のスライド溝の端部に所定圧で係合する方向に付勢する手段が、挟着部材の外周とイヤリング本体のスライド溝との間に取り付けた板バネによって補強されていることを特徴とする請求項１記載のイヤリング。
【請求項５】
前記イヤリング本体と挟着部材の耳たぶを挟み付ける部位に、耳当部材を取り付けたことを特徴とする請求項１に記載のイヤリング。
【発明の詳細な説明】
【技術分野】
【０００１】
この発明は、使用者の好みに応じて耳たぶへ適度の挟着力で挟み付けることができるようにしたイヤリングに関する。
【背景技術】
【０００２】
通常のイヤリング中、耳たぶに孔を開けて使用するピアス式以外のイヤリングにおいては、使用者の耳たぶの両側を挟み付けるようにして取り付けている。
この取付け方法として、Ｕ字形の基材の一端におねじを螺進させて耳たぶに取り付けるネジ方式、また、自由端の両端部に挟着部をもつ円形状のイヤリングの略中央位置にバネを介して開閉自在に軸着したバネ方式、バネに代えてワッシャを介して開閉自在に軸着したクリップ方式あるいは、イヤリングの耳たぶ取付位置の両側にマグネットを設け、このマグネットの磁力で吸着させてイヤリングを耳たぶに取り付けるマグネット方式などが知られている。
【０００３】
しかしながら、この各種のイヤリングには、次のような課題をそれぞれ有している。
すなわち、ネジ方式のイヤリングは、基材のめねじ部におねじを捩じ込んで耳たぶの両側面にイヤリングの係合面を挟持させているので、この種のイヤリングを耳たぶに取り付けていると、使用者の動きなどを原因として装着中におねじが緩み方向へ移動するおそれがあり、そのため、使用中に耳たぶからイヤリングが外れて紛失することもしばしば生じていた。また、このように耳たぶより落ちないようにするには、おねじを強く捩じ込んで取り付ける必要があるため、使用者にはこのネジの締め付けによる不快感や痛みが伴うことがある。さらに、このネジ方式は、おねじ部分がイヤリングの外方に露出するため、装身具として体裁の悪いものであった。
【０００４】
また、特開平９−１７３１１２号公報（特許文献１参照）に示すようなバネ方式のイヤリングは、円形状のイヤリングを二分割した部材の中央位置にバネを介して開閉自在に軸着したものであるから、バネ圧のみによって耳たぶに挟持して取り付けているため、簡単に装着できる反面、使用中に外れやすいために紛失することが多く、また、個人差によって耳たぶの厚みに相違があるため、個人差に対応した装着度合いを調整することはできなかった。
さらに、実開平７−３９５２１号公報（特許文献２参照）に示すような円形状のイヤリングを構成する筒状本体の内部にコイルバネを内蔵し、このコイルバネでイヤリングの開放端の一端を他端に向けて進退自在としたものも上記と同様の欠点があった。
【０００５】
さらに、マグネット方式のイヤリングは、両端部に設けたマグネット同士を吸着させてイヤリングを耳たぶに取り付けるものであるから、装着しやすいが、上記の例と同様に使用中に外れやすく、紛失することが多く、しかも、個人差に対応した装着度合いを調整することは当然に不可能であった。
【先行技術文献】
【特許文献】
【０００６】
【特許文献１】特開平９−１７３１１２号公報（バネで開閉）
【特許文献２】実開平７−３９５２１号公報（バネによって付勢されたピンを内蔵）
【発明の概要】
【発明が解決しようとする課題】
【０００７】
この発明は、このような従来例が有する課題に鑑みて開発されたものであり、その目的とするところは、使用者の好みに応じて耳たぶへ適度の挟着力で挟み付けることができ、しかも使用中に外れにくく、しかも個人差に対応した装着度合いを簡単に調整することができるイヤリングを提供することにある。
【課題を解決するための手段】
【０００８】
上記の目的を達成するため、この発明におけるイヤリングは、耳たぶを挿入する切欠き部を備えた所定の半径の環状イヤリング本体と、該切欠き部の耳たぶの裏側に位置する端部において進退可能に取り付けられ、かつ前記イヤリング本体よりも小さい半径の弧状挟着部材とを備え、
該挟着部材は側面に設けたガイド溝にイヤリング本体に設けたガイドピンをはめ込まれて、前記イヤリング本体に設けたスライド溝に沿って移動可能に保持され、
前記挟着部材はその後端にイヤリング本体に内装したコイルバネを連結することにより、耳たぶを挟み付ける方向と前記イヤリング本体のスライド溝の端部に所定圧で係合する方向とに付勢されており、
前記挟着部材は、コイルバネの弾性力に抗して先端を内側方向に押圧すれば、スライド溝との係合が解かれて耳たぶを挟み付ける方向に移動が可能であり、力を解除すればその外周面が前記イヤリング本体のスライド溝の端部に係合して適宜位置に保持することが可能であり、所定の押圧力で耳たぶを挟み付けることができるようにしたことを特徴とするものである。
【０００９】
この発明のイヤリングは、前記挟着部材の外面とイヤリング本体のスライド溝の内面とが、所定幅の平滑面で構成されていることをも特徴とするものである。
【００１０】
この発明のイヤリングは、前記挟着部材をイヤリング本体のスライド溝の端部に係合する手段が、挟着部材の外周に形成した波形凹凸面からなることをも特徴とするものである。
【００１１】
この発明のイヤリングは、前記イヤリング本体のスライド溝の端部に所定圧で係合する方向に付勢する手段が、挟着部材の外周とイヤリング本体のスライド溝との間に取り付けた板バネによって補強されていることをも特徴とするものである。
【００１２】
この発明のイヤリングは、前記イヤリング本体と挟着部材の耳たぶを挟み付ける部位に、耳当部材を取り付けたことをも特徴とするものである。
【発明の効果】
【００１３】
この発明のイヤリングによれば、使用者の好みに応じて耳たぶへ適度の挟着力で挟み付けることができ、しかも挟み付けた位置を確実に保持できるので、使用中に外れにくいという作用効果を奏するものである。
しかも、使用者の個人差に対応して耳たぶへの装着度合いを簡単に調整することができるイヤリングを提供することが可能となるという利点がある。
【図面の簡単な説明】
【００１４】
【図１】この発明のイヤリングの１実施例を示す概略断面図
【図２】イヤリング本体の側面図
【図３】コイルバネの展開図
【図４】挟着部材の分解側面図
【図５】（ａ）挟着部材の側面図，（ｂ）挟着部材の正面図
【発明を実施するための形態】
【００１５】
以下図面を用いて、この発明のイヤリングにおける実施の形態を説明する。
この発明のイヤリングの１実施例を示す図１ないし図５において、イヤリング１１は耳たぶを挿入する切欠き部２１を備えた所定の半径の環状イヤリング本体１２と、該切欠き部２１の耳たぶの裏側に位置する端部において進退可能に取り付けられ、かつ前記イヤリング本体１２よりも小さい半径の弧状挟着部材１３とを備えている。
【００１６】
前記イヤリング本体１２は図２に示すように所定の半径の環状に形成され、上部に耳たぶを挿入する切欠き部２１を備えたものであり、耳たぶの前面に当接する側の端部には下向きに垂下させた耳当板２２が取り付けられている。２３は軸孔であり、後述のガイドピン２４が取り付けられるようになっている。
２５はコイルバネで、イヤリング本体１２に形成した凹溝２６内に収納され、一端を凹溝２６の適所に固定され、他端にはバネ受部品３０が固定されている。図３はコイルバネ２５の展開図である。
【００１７】
前記挟着部材１３は、図４に示すように前記イヤリング本体１２よりも小さい半径に形成されており、側面に長さ方向に沿って設けたガイド溝３１に前記イヤリング本体１２に設けたガイドピン２４をはめ込まれて、前記イヤリング本体１２端部に設けたスライド溝２７に沿って移動可能に保持されている。
前記挟着部材１３はその後端に、イヤリング本体１２に内装した前記コイルバネ２５をバネ受部品３０を介して連結することにより、コイルバネ２５の弾性によって耳たぶを挟み付ける方向に付勢されている。したがって、前記イヤリング本体１２端部に設けたスライド溝２７に沿ってスライドしながら耳たぶを挟み付ける方向に移動する。
【００１８】
また、前記挟着部材１３は前記イヤリング本体１２よりも小さい半径に形成されているので、コイルバネ２５の弾性によって耳たぶを挟み付ける方向に付勢されているとともに、前記イヤリング本体１２のスライド溝２７の端部に所定圧で係合する方向にも付勢されている。
その際、前記挟着部材１３の外面とイヤリング本体１２のスライド溝２７の内面とは、所定幅の平滑面で構成されていることが望ましい。このようにするには、イヤリング本体１２および挟着部材１３を内周側が開口したコ字状断面とすることができる。また角筒状断面としても、またいずれかをコ字状断面とし、他方を角筒状断面とすることもできる。もちろん、イヤリング本体１２を角筒状断面とした場合には、イヤリング本体１２の内周側に挟着部材１３挿通用の開口箇所を形成しておくことが必要である。
【００１９】
また、前記挟着部材１３をイヤリング本体１２のスライド溝２７の端部に所定圧で係合する方向に付勢する機能を確実に保持するため、挟着部材１３の外周とイヤリング本体１２のスライド溝２７との間に板バネ２８を取り付けることによって付勢力を補強することができる。板バネ２８はその一端を挟着部材１３とイヤリング本体１２のいずれに固定してもよい。
なお、前記挟着部材１３の端部を外向きに動きやすくし、挟着部材１３がイヤリング本体１２のスライド溝２７の端部に確実に係合するようにするため、イヤリング本体１２のスライド溝２７端部の挟着部材１３との接触面２７’を外向きに傾斜するテーパ状としたり、イヤリング本体１２内周面の円の接線に近い角度に傾斜させることもできる。
図において２９は前記挟着部材１３の先端に取り付けた耳当板である。
なお、耳当板２２，２９に代えてイヤリング本体１２および挟着部材１３の先端に軸受を内蔵させ、該軸受に回転盤を回転可能に取り付けることにより、耳たぶへの取付位置を回転中心としてスイングできるようにしてもよい。
【００２０】
前記挟着部材１３は図５（ａ）、（ｂ）に示す構造であってもよい。
すなわち、前記挟着部材１３の外周に波形凹凸面３２を形成し、該挟着部材１３をイヤリング本体１２のスライド溝２７の端部により確実に係合するようにすることができる。もちろん、波形凹凸面３２の山と谷の間隔を広くまた狭くすることにより、耳たぶを挟み付ける際の微妙な進み具合を調節することができる。もちろん、最適な間隔は実際に使ってみることにより得ることができる。
【００２１】
この発明のイヤリング１１は以上のように構成したので、前記挟着部材１３をコイルバネ２５の弾性力に抗してその先端を内側方向に押圧すれば、イヤリング本体１２のスライド溝２７との係合が解かれるので、挟着部材１３はコイルバネ２５に押されて耳たぶを挟み付ける方向に移動する。
【００２２】
次に、所定の位置で前記押圧力を解除すれば、挟着部材１３の外周面が前記イヤリング本体１２のスライド溝２７の端部に係合して適宜位置に保持することができ、したがって所定の押圧力で耳たぶを挟み付けることができるようなる。
もちろん、イヤリング１１を耳たぶから外す場合には、前記挟着部材１３をコイルバネ２５の弾性力に抗して長さ方向に押し戻せばよい。
【産業上の利用可能性】
【００２３】
この発明のイヤリングは以上のように構成したので、イヤリング本体１２および挟着部材１３のいずれかにピンを取り付ければ、ピアスイヤリングの用途にも適用できることはいうまでもない。
【符号の説明】
【００２４】
１１  イヤリング
１２  イヤリング本体
１３  挟着部材
２１  切欠き部
２２  耳当板
２３  軸孔
２４  ガイドピン
２５  コイルバネ
２６  凹溝
２７  スライド溝
２７’  接触面
２８  板バネ
２９  耳当板
３０  バネ受部品
３１  ガイド溝
３２  波形凹凸面
【図１】
2010172417.tif 000003
【図２】
2010172417.tif 000004
【図３】
2010172417.tif 000005
【図４】
2010172417.tif 000006
【図５】
2010172417.tif 000007